(57)【要約】      （修正有）【課題】シリンダー錠の施錠又は解錠の状態を、鍵を用いて確認させる。【解決手段】シリンダー錠１の鍵穴１１０に差し込んだ鍵２を施錠エリアＺ１に回動すると、施錠検知部１１１にて検知された施錠状態を示す電圧又はパルスの状態信号が送信部１１３から電磁誘導送信され、この状態信号が受信部２００にて電磁誘導受信される鍵では、シリンダー錠が施錠されたことを状態判定部２０１にて判定し、判定結果と判定された日時とを記憶部２０３に記憶するとともに表示部２０４に表示させる。一方、鍵穴に差し込んだ鍵を解錠エリアＺ２に回動すると、解錠検知部１１２にて検知された施錠状態とは異なる解錠状態を示す電圧又はパルスの状態信号が送信部から電磁誘導送信され、この状態信号が受信部にて電磁誘導受信される鍵では、シリンダー錠が解錠されたことを状態判定部にて判定し、判定結果と判定された日時とを記憶部に記憶するとともに表示部に表示させる。【選択図】図２
2009108621.tif 000002
【特許請求の範囲】
【請求項１】
シリンダー錠（１）の鍵穴（１１０）に鍵（２）を差し込んで回すことにより当該シリンダー錠を施錠又は解錠させるにあたり、
前記シリンダー錠には、前記鍵の回動方向に沿った位置に設けられる前記施錠のための施錠エリア（Ｚ１）及び前記解錠のための解錠エリア（Ｚ２）と、前記鍵が前記施錠エリアに回動したことを検知するための施錠検知部（１１１）及び前記解錠エリアに回動したことを検知するための解錠検知部（１１２）と、前記施錠又は前記解錠の状態の相違に応じて異なる電圧の状態信号を前記鍵に電磁誘導送信するための送信部（１１３）とを備え、
前記鍵には、前記シリンダー錠の前記送信部から送信される状態信号を電磁誘導受信するための受信部（２００）と、前記受信部にて受信される前記状態信号をもとに前記シリンダー錠の前記施錠又は前記解錠の状態を判定するための状態判定部（２０１）と、前記状態判定部の判定結果を記憶するための記憶部（２０３）と、前記状態判定部の判定結果を表示するための表示部（２０４）とを備えたことを特徴とする施解錠確認装置。
【請求項２】
シリンダー錠（１）の鍵穴（１１０）に鍵（２）を差し込んで回すことにより当該シリンダー錠を施錠又は解錠させるにあたり、
前記シリンダー錠には、前記鍵の回動方向に沿った位置に設けられる前記施錠のための施錠エリア（Ｚ１）及び前記解錠のための解錠エリア（Ｚ２）と、前記鍵が前記施錠エリアに回動したことを検知するための施錠検知部（１１１）及び前記解錠エリアに回動したことを検知するための解錠検知部（１１２）と、前記施錠又は前記解錠の状態の相違に応じて異なるパルスの状態信号を前記鍵に電磁誘導送信するための送信部（１１３）とを備え、
前記鍵には、前記シリンダー錠の前記送信部から送信される状態信号を電磁誘導受信するための受信部（２００）と、前記受信部にて受信される前記状態信号をもとに前記シリンダー錠の前記施錠又は前記解錠の状態を判定するための状態判定部（２０１）と、前記状態判定部の判定結果を記憶するための記憶部（２０３）と、前記状態判定部の判定結果を表示するための表示部（２０４）とを備えたことを特徴とする施解錠確認装置。
【請求項３】
前記鍵には、前記状態判定部にて前記施錠又は前記解錠の状態が判定された日時を計時するための計時部（２０２）を備え、
前記鍵の前記記憶部は、前記計時部にて計時された日時を記録する機能を有し、前記表示部は、前記計時部にて計時された日時を表示する機能を有することを特徴とする請求項１又は請求項２記載の施解錠確認装置。
【請求項４】
前記計時部は、前記鍵に代わって前記シリンダー錠に設けられ、前記計時部にて計時された日時を前記状態信号に付加して前記送信部から前記鍵に電磁誘導送信することを特徴とする請求項３記載の施解錠確認装置。
【請求項５】
１つの扉に設けられた複数のシリンダー錠に１つの鍵を差し込んで回すことにより当該シリンダー錠を施錠又は解錠させる場合、前記シリンダー錠の前記送信部は、前記複数のシリンダー錠毎に前記施錠又は前記解錠の状態の相違に応じて異なる状態信号を送信し、前記鍵の前記状態判定部は、前記複数のシリンダー錠毎に前記状態信号をもとに当該シリンダー錠の前記施錠又は前記解錠の状態を判定し、前記鍵の前記記憶部は、前記状態判定部の判定結果を前記複数のシリンダー錠毎に記憶し、前記鍵の表示部は、前記状態判定部の判定結果を前記複数のシリンダー錠毎に表示することを特徴とする請求項１乃至請求項４のうち何れか１項記載の施解錠確認装置。
【発明の詳細な説明】
【技術分野】
【０００１】
本発明は、シリンダー錠の施解錠確認装置に係り、特に、シリンダー錠の施錠又は解錠の状態を確認する際の利便性を高めた施解錠確認装置に関する。
【背景技術】
【０００２】
従来から、住戸の扉等に設けられるシリンダー錠の施錠又は解錠の状態を確認するにあたり、その報知手段としては、施錠又は解錠の状態の相違に応じて異なる確認音の放音や光の点灯等が知られている。この報知手段によれば、シリンダー錠が設けられる住戸の扉等の周囲環境においてのみ効果を奏するものの、当該周囲環境から離れた場所においては有効な効果を得られるものではなかった。
【０００３】
そこで、シリンダー錠の施錠忘れ、すなわち、施錠のための鍵忘れを容易に確認できるようにした鍵が開示されている（例えば、特許文献１を参照。）。
【０００４】
【特許文献１】実開平６−４５０１９号公報
【発明の開示】
【発明が解決しようとする課題】
【０００５】
背景技術に記載した特許文献１の鍵によれば、分割された保管部及び携帯部を、係脱手段を介して一体化させる構造であって、シリンダー錠の鍵穴に保管部を残したままの状態で携帯部のみを携行することで鍵忘れの確認が容易となるものの、その構造が複雑であった。
【０００６】
本発明は、この難点を解消するためになされたもので、シリンダー錠の施錠又は解錠の状態を、簡易な構造で携行可能な鍵を用いて容易に確認することができ利便性を高めた施解錠確認装置を提供することを目的としている。
【課題を解決するための手段】
【０００７】
前述の目的を達成するため、本発明の第１の態様である施解錠確認装置は、シリンダー錠の鍵穴に鍵を差し込んで回すことにより当該シリンダー錠を施錠又は解錠させるにあたり、シリンダー錠には、鍵の回動方向に沿った位置に設けられる施錠のための施錠エリア及び解錠のための解錠エリアと、鍵が施錠エリアに回動したことを検知するための施錠検知部及び解錠エリアに回動したことを検知するための解錠検知部と、施錠又は解錠の状態の相違に応じて異なる電圧の状態信号を鍵に電磁誘導送信するための送信部とを備えている。鍵には、シリンダー錠の送信部から送信される状態信号を電磁誘導受信するための受信部と、受信部にて受信される状態信号をもとにシリンダー錠の施錠又は解錠の状態を判定するための状態判定部と、状態判定部の判定結果を記憶するための記憶部と、状態判定部の判定結果を表示するための表示部とを備えている。
【０００８】
また、本発明の第２の態様である施解錠確認装置は、シリンダー錠の鍵穴に鍵を差し込んで回すことにより当該シリンダー錠を施錠又は解錠させるにあたり、シリンダー錠には、鍵の回動方向に沿った位置に設けられる施錠のための施錠エリア及び解錠のための解錠エリアと、鍵が施錠エリアに回動したことを検知するための施錠検知部及び解錠エリアに回動したことを検知するための解錠検知部と、施錠又は解錠の状態の相違に応じて異なるパルスの状態信号を鍵に電磁誘導送信するための送信部とを備えている。鍵には、シリンダー錠の送信部から送信される状態信号を電磁誘導受信するための受信部と、受信部にて受信される状態信号をもとにシリンダー錠の施錠又は解錠の状態を判定するための状態判定部と、状態判定部の判定結果を記憶するための記憶部と、状態判定部の判定結果を表示するための表示部とを備えている。
【０００９】
また、本発明の第３の態様である施解錠確認装置は、本発明の第１の態様又は第２の態様において、鍵には、状態判定部にて施錠又は解錠の状態が判定された日時を計時するための計時部を備えている。鍵の記憶部は、計時部にて計時された日時を記録する機能を有し、表示部は、計時部にて計時された日時を表示する機能を有している。
【００１０】
また、本発明の第４の態様である施解錠確認装置は、本発明の第３の態様において、計時部は、鍵に代わってシリンダー錠に設けられ、計時部にて計時された日時を状態信号に付加して送信部から鍵に電磁誘導送信することを特徴とする請求項３記載の施解錠確認装置。
鍵に代わってシリンダー錠に設けられるものである。
【００１１】
また、本発明の第５の態様である施解錠確認装置は、本発明の第１乃至第４の各態様のうち何れか１の態様において、１つの扉に設けられた複数のシリンダー錠に１つの鍵を差し込んで回すことにより当該シリンダー錠を施錠又は解錠させる場合、シリンダー錠の送信部は、複数のシリンダー錠毎に施錠又は解錠の状態の相違に応じて異なる状態信号を送信し、鍵の状態判定部は、複数のシリンダー錠毎に状態信号をもとに当該シリンダー錠の施錠又は解錠の状態を判定し、鍵の記憶部は、状態判定部の判定結果を複数のシリンダー錠毎に記憶し、鍵の表示部は、状態判定部の判定結果を複数のシリンダー錠毎に表示するものである。
【発明の効果】
【００１２】
本発明の施解錠確認装置によれば、シリンダー錠の鍵穴に差し込んだ鍵を施錠エリアに回動するように回すと、施錠検知部にて検知された施錠状態を示す電圧又はパルスの状態信号が送信部から電磁誘導送信され、この状態信号が受信部にて電磁誘導受信される鍵では、シリンダー錠が施錠されたことを状態判定部にて判定し、判定結果を記憶部に記憶するとともに表示部に表示させることができる。一方、シリンダー錠の鍵穴に差し込んだ鍵を解錠エリアに回動するように回すと、解錠検知部にて検知された施錠状態とは異なる解錠状態を示す電圧又はパルスの状態信号が送信部から電磁誘導送信され、この状態信号が受信部にて電磁誘導受信される鍵では、シリンダー錠が解錠されたことを状態判定部にて判定し、判定結果を記憶部に記憶するとともに表示部に表示させることができる。これにより、シリンダー錠の施錠又は解錠の状態を、簡易な構造で携行可能な鍵を用いて確認できるため、外出先のように住戸の扉等の周囲環境から離れた場所での確認が容易となり利便性が高められる。
【００１３】
また、本発明の施解錠確認装置によれば、鍵の状態判定部にてシリンダー錠の施錠又は解錠の状態が判定された日時を計時部にて計時し、計時された日時を記憶部に記憶するとともに表示部に表示させることができる。これにより、シリンダー錠の施錠又は解錠の状態を当該施錠又は当該解錠された日時と併せ、簡易な構造で携行可能な鍵を用いて確認できるため、外出先のように住戸の扉等の周囲環境から離れた場所での確認が容易となり利便性が高められるばかりでなく、計時部は、鍵に代わってシリンダー錠に設けることもでき、この態様によれば、計時部にて計時された日時を状態信号に付加して送信部から鍵に電磁誘導送信することができる。
【００１４】
さらに、本発明の施解錠確認装置によれば、１つの扉に複数のシリンダー錠を設け、このシリンダー錠を１つの鍵を用いて施錠又は解錠させる場合であっても、鍵の状態判定部における判定動作、記憶部の記憶動作、表示部における表示動作及び計時部における計時動作をそれぞれ、複数のシリンダー錠毎に行うことができる。
【発明を実施するための最良の形態】
【００１５】
以下、本発明の施解錠確認装置を適用した最良の実施の形態例について、図面を参照して説明する。
【００１６】
図１（ａ）は、本発明の実施例による施解錠確認装置を構成するシリンダー錠の外観構造を示す説明図であり、図１（ｂ）は、当該シリンダー錠の内部構造を示す説明図である。同図に示すシリンダー錠１は、住戸の扉等、ここでは、同一の扉Ａに少なくとも１つ設けられるものであり、外筒１０と、外筒１０に回動可能に設けられる内筒１１とで構成され、この内筒１１の中央部には、後述する鍵２が差し込まれる鍵穴１１０が開口されている。また、シリンダー錠１を構成する内筒１１の内部１１ａには、鍵２の回動方向に沿った位置に設けられる施錠のための施錠エリアＺ１及び解錠のための解錠エリアＺ２と、例えば、電極にて構成され鍵２が施錠エリアＺ１に回動したことを検知するための施錠検知部１１１及び解錠エリアＺ２に回動したことを検知するための解錠検知部１１２とが備えられている。
【００１７】
図２は、本発明の実施例による施解錠確認装置において、シリンダー錠１及び鍵２の具体的な構成を示すブロック図である。同図に示すシリンダー錠１（の内筒１１）には、前述の鍵穴１００、施錠検知部１１１及び解錠検知部１１２と、施錠検知部１１１にて検知される当該シリンダー錠の施錠状態又は解錠検知部１１２にて検知される当該シリンダー錠の解錠状態の相違に応じて、異なる電圧の状態信号又は異なるパルスの状態信号を鍵２に電磁誘導送信するための送信部１１３とが備えられている。また、鍵２には、シリンダー錠１の送信部１１３から送信される状態信号を電磁誘導受信するための受信部２００と、受信部２００にて電磁誘導受信される状態信号をもとにシリンダー錠１の施錠又は解錠の状態を判定するための状態判定部２０１と、状態判定部２０１にて施錠又は解錠の状態が判定された日時を計時するための計時部２０２と、状態判定部２０１の判定結果及び計時部２０２にて計時された日時をそれぞれ記憶するための例えば、ＲＡＭ、ＥＥＰＲＯＭ等の各種の記憶媒体にて構成される記憶部２０３と、状態判定部２０１の判定結果及び計時部２０２にて計時された日時をそれぞれ表示するための例えば、ＬＣＤ、有機ＥＬディスプレイ等の各種の表示媒体にて構成される表示部２０４と、当該鍵の動作電源が蓄電される電源部２０５とが備えられており、この電源部２０５への蓄電手段としては、当該鍵の振動に伴い発生する直流電圧を自己蓄電する態様や、シリンダー錠１の内筒１１に開口されている鍵穴１１０に鍵２を差し込み回すことにより発生する直流電圧を蓄電する態様が好適とされるばかりでなく、鍵２に着脱自在な例えば、ボタン電池等の各種の電池も好適とされる。
【００１８】
図３は、本発明の実施例による施解錠確認装置を構成する鍵２の外観構造を説明図である。同図に示す鍵２において、前述の状態判定部２０１、計時部２０２、記憶部２０３及び電源部２０５はそれぞれ、通常、当該鍵の握り部２ａに内蔵（図示せず。）されるものであり、受信部２００及び表示部２０４はそれぞれ、当該鍵の所定の位置に設けられている。具体的には、受信部２００は握り部２ａの付け根に設けられ、表示部２０４は握り部２ａにおいて当該鍵の使用者が視認し易い場所に設けられている。
【００１９】
このように構成された本発明の実施例による施解錠確認装置において、以下、具体的な動作、すなわち、シリンダー錠１を施錠又は解錠させる動作について、前述の図１乃至図３の各図、図４（ａ）、（ｂ）の各信号波形図、図５（ａ）、（ｂ）の各説明図をそれぞれ参照して説明する。なお、図４（ａ）、（ｂ）はそれぞれ、シリンダー錠１（の送信部１１３）から電磁誘導送信され鍵２（の受信部２００）にて電磁誘導受信される状態信号の波形例を示す信号波形図であり、図５（ａ）、（ｂ）はそれぞれ、鍵２の表示部２０４における表示例の遷移を示す説明図である。
【００２０】
住戸における同一の扉Ａに、図１（ａ）、（ｂ）に示すシリンダー錠１が複数個、ここでは、２つ設けられている場合、予め解錠されている２つのシリンダー錠（以下、第１、第２の各シリンダー錠という。）１、１を任意の順序で施錠、例えば、第１のシリンダー錠１、第２のシリンダー錠１の順序で施錠させて外出するにあたり、鍵２の表示部２０４には、図５（ａ）に示すように、前回解錠操作を行った際の解錠確認情報を示す「ＵＮＬＯＣＫ」と解錠確認時間（前回解錠確認時間）を示す日時、ここでは、日時「１０月５日  ９：４１」、「１０月５日  ９：４３」とがそれぞれ、第１、第２の各シリンダー錠１、１の該当欄に予め表示されている。ここで、鍵２の使用者である居住者は、第１のシリンダー錠１の内筒１１に開口されている鍵穴１１０に鍵２を差し込み、この鍵２が施錠エリアＺ１に回動するように回すことによって当該第１のシリンダー錠は（解錠状態から遷移された）施錠状態となり、この回動動作は施錠検知部１１１にて検知される。また、図２に示す第１のシリンダー錠１の送信部１１３は、施錠検知部１１１にて検知された当該第１のシリンダー錠の施錠状態をもとに、図４（ａ）に示す所定の電圧の状態信号Ｓ1a又は所定のパルスの状態信号Ｓ1bを生成し、この状態信号Ｓ1a、Ｓ1bに自錠が有する錠ＩＤを付加して鍵２に電磁誘導送信する。
【００２１】
図２に示す鍵２の状態判定部２０１は、受信部２００にて電磁誘導受信された状態信号Ｓ1a、Ｓ1bに付加されている錠ＩＤをもとに、当該状態信号が第１のシリンダー錠１からの送信信号であり、図４（ａ）に示す所定の電圧又は所定のパルスをもとに、第１のシリンダー錠１が（解錠状態から遷移された）施錠状態であることを判定する。また、状態判定部２０１は、判定結果である施錠確認情報を示す「ＬＯＣＫ」を、計時部２０２にて計時される施錠確認時間を示す日時、ここでは、日時「１０月５日  １１：２３」とともに記憶部２０３に記憶し、さらには、前述の施錠確認情報及び施錠確認時間をそれぞれ所定のフォーマットで表示部２０４に表示させることができる。具体的な表示例としては、図５（ａ）に示すように、第１のシリンダー錠１の該当欄に施錠確認情報を示す「ＬＯＣＫ」と施錠確認時間を示す日時「１０月５日  １１：２３」とがそれぞれ表示されることになる一方、第２のシリンダー錠１の該当欄には、解錠確認情報を示す「ＵＮＬＯＣＫ」と解錠確認時間（前回解錠確認時間）を示す日時「１０月５日  ９：４３」との表示が保持されている。
【００２２】
この後、鍵２の使用者である居住者は、図１（ａ）、（ｂ）に示す第１のシリンダー錠１の内筒１１に開口されている鍵穴１１０から引き抜いた鍵２を第２のシリンダー錠１の内筒１１に開口されている鍵穴１１０に差し込み、この鍵２が施錠エリアＺ１に回動するように回すことによって当該第２のシリンダー錠は（解錠状態から遷移された）施錠状態となり、この回動動作は施錠検知部１１１にて検知される。また、図２に示す第２のシリンダー錠１の送信部１１３は、施錠検知部１１１にて検知された当該第２のシリンダー錠の施錠状態をもとに、前述の第１のシリンダー錠１の施錠状態を示す状態信号Ｓ1a、Ｓ1bとは異なる図４（ｂ）に示す所定の電圧の状態信号Ｓ2a又は所定のパルスの状態信号Ｓ2bを生成し、この状態信号Ｓ2a、Ｓ2bに自錠が有する錠ＩＤを付加して鍵２に電磁誘導送信する。
【００２３】
図２に示す鍵２の状態判定部２０１は、受信部２００にて電磁誘導受信された状態信号Ｓ2a、Ｓ2bに付加されている錠ＩＤをもとに、当該状態信号が第２のシリンダー錠１からの送信信号であり、図４（ｂ）に示す所定の電圧又は所定のパルスをもとに、第２のシリンダー錠１が（解錠状態から遷移された）施錠状態であることを判定する。また、状態判定部２０１は、判定結果である施錠確認情報を示す「ＬＯＣＫ」を、計時部２０２にて計時される施錠確認時間を示す日時、ここでは、日時「１０月５日  １１：２５」とともに記憶部２０３に記憶し、さらには、前述の施錠確認情報及び施錠確認時間をそれぞれ所定のフォーマットで表示部２０４に表示させることができる。具体的な表示例としては、図５（ａ）に示すように、第２のシリンダー錠１の該当欄に施錠確認情報を示す「ＬＯＣＫ」と施錠確認時間を示す日時「１０月５日  １１：２５」とがそれぞれ表示され、この表示は、前述の第１のシリンダー錠１の施錠確認情報を示す「ＬＯＣＫ」及び施錠確認時間を示す「５．１１：２３」と同時表示されることになる。
【００２４】
前述までの施錠操作により、第２のシリンダー錠１の内筒１１に開口されている鍵穴１１０から引き抜いた鍵２を携行して外出先に向かう居住者にとっては、鍵２の表示部２０４の表示内容を参照し、第１、第２の各シリンダー錠１、１がそれぞれ施錠状態であることと施錠された日時とを併せて、外出先から容易に確認することができ利便性が高められる。
【００２５】
次に、施錠状態である図１（ａ）、（ｂ）に示す第１、第２の各シリンダー錠１、１を任意の順序で解錠、例えば、第２のシリンダー錠１、第１のシリンダー錠１の順序で解錠させて外出先から住戸内に帰宅するにあたり、鍵２の使用者である居住者は、第２のシリンダー錠１の内筒１１に開口されている鍵穴１１０に鍵２を差し込み、この鍵２が解錠エリアＺ２に回動するように回すことによって当該第２のシリンダー錠は（施錠状態から遷移された）解錠状態となり、この回動動作は解錠検知部１１２にて検知される。また、図２に示す第２のシリンダー錠１の送信部１１３は、解錠検知部１１２にて検知された当該第２のシリンダー錠の解錠状態をもとに、前述の第１、第２の各シリンダー錠１、１の施錠状態を示す状態信号Ｓ1a、Ｓ1b、Ｓ2a、Ｓ2bとは異なる図４（ｂ）に示す所定の電圧の状態信号Ｓ2c又は所定のパルスの状態信号Ｓ2dを生成し、この状態信号Ｓ2c、Ｓ2dに自錠が有する錠ＩＤを付加して鍵２に電磁誘導送信する。
【００２６】
図２に示す鍵２の状態判定部２０１は、受信部２００にて電磁誘導受信された状態信号Ｓ2c、Ｓ2dに付加されている錠ＩＤをもとに、当該状態信号が第２のシリンダー錠１からの送信信号であり、図４（ｂ）に示す所定の電圧又は所定のパルスをもとに、第２のシリンダー錠１が（施錠状態から遷移された）解錠状態であることを判定する。また、状態判定部２０１は、判定結果である解錠確認情報を示す「ＵＮＬＯＣＫ」を、計時部２０２にて計時される解錠確認時間を示す日時、ここでは、日時「１０月５日  １８：１７」とともに記憶部２０３に記憶し、さらには、前述の解錠確認情報及び解錠確認時間をそれぞれ所定のフォーマットで表示部２０４に表示させることができる。具体的な表示例としては、図５（ｂ）に示すように、第２のシリンダー錠１の該当欄に解錠確認情報を示す「ＵＮＬＯＣＫ」と解錠確認時間を示す日時「１０月５日  １８：１７」とがそれぞれ表示される一方、第１のシリンダー錠１の該当欄には、施錠確認情報を示す「ＬＯＣＫ」と施錠確認時間を示す日時「１０月５日  １１：２３」との表示が保持されている。
【００２７】
この後、鍵２の使用者である居住者は、図１（ａ）、（ｂ）に示す第２のシリンダー錠１の内筒１１に開口されている鍵穴１１０から引き抜いた鍵２を第１のシリンダー錠１の内筒１１に開口されている鍵穴１１０に差し込み、この鍵２が解錠エリアＺ２に回動するように回すことによって当該第１のシリンダー錠は（施錠状態から遷移された）解錠状態となり、この回動動作は解錠検知部１１２にて検知される。また、図２に示す第１のシリンダー錠１の送信部１１３は、解錠検知部１１２にて検知された当該第１のシリンダー錠の解錠状態をもとに、前述の第１、第２の各シリンダー錠１、１の施錠状態を示す状態信号Ｓ1a、Ｓ1b、Ｓ2a、Ｓ2b、第２のシリンダー錠１の解錠状態を示す状態信号Ｓ2c、Ｓ2dとは異なる図４（ａ）に示す所定の電圧の状態信号Ｓ1c又は所定のパルスの状態信号Ｓ1dを生成し、この状態信号Ｓ1c、Ｓ1dに自錠が有する錠ＩＤを付加して鍵２に電磁誘導送信する。
【００２８】
図２に示す鍵２の状態判定部２０１は、受信部２００にて電磁誘導受信された状態信号Ｓ1c、Ｓ1dに付加されている錠ＩＤをもとに、当該状態信号が第１のシリンダー錠１からの送信信号であり、図４（ａ）に示す所定の電圧又は所定のパルスをもとに、第１のシリンダー錠１が（施錠状態から遷移された）解錠状態であることを判定する。また、状態判定部２０１は、判定結果である解錠確認情報を示す「ＵＮＬＯＣＫ」を、計時部２０２にて計時される解錠確認時間を示す日時、ここでは、日時「１０月５日  １８：１９」とともに記憶部２０３に記憶し、さらには、前述の解錠確認情報及び解錠確認時間をそれぞれ所定のフォーマットで表示部２０４に表示させることができる。具体的な表示例としては、図５（ｂ）に示すように、第１のシリンダー錠１の該当欄に解錠確認情報を示す「ＵＮＬＯＣＫ」と解錠確認時間を示す日時「１０月５日  １８：１９」とがそれぞれ表示され、この表示は、前述の第２のシリンダー錠１の解錠確認情報を示す「ＵＮＬＯＣＫ」及び解錠確認時間を示す「５．１８：１７」と同時表示されることになる。
【００２９】
前述までの解錠操作により、第１のシリンダー錠１の内筒１１に開口されている鍵穴１１０から引き抜いた鍵２を携行して住戸内に帰宅した居住者にとっては、鍵２の表示部２０４の表示内容を参照し、第１、第２の各シリンダー錠１、１がそれぞれ解錠状態であることと解錠された日時とを併せて、住戸内にて容易に確認することができるばかりでなく、この鍵２を前述の施錠操作を行わずに外出した場合であっても、第１、第２の各シリンダー錠１、１が解錠状態であることを容易に確認することができ利便性が高められる。
【００３０】
なお、前述までの実施例においては、住戸における同一の扉Ａに設けられるシリンダー錠として、第１、第２の各シリンダー錠１、１のように２つ設けられている場合について説明したが、この態様に限定されるものではない。例えば、住戸における同一の扉Ａに１つのシリンダー錠１、或いは、より複数個のシリンダー錠１、１、１、・・・を設ける態様も好適とされる。ここで、住戸における同一の扉Ａに１つのシリンダー錠１を設けた場合には、シリンダー錠１の送信部１１３から電磁誘導送信される状態信号に前述の実施例のような鍵ＩＤを付加する必要はない。一方、住戸における同一の扉Ａにより複数個のシリンダー錠１、１、１、・・・を設けた場合には、防犯性がより高められるという効果を奏する。
【００３１】
また、本発明の実施例においては、シリンダー錠１の施錠又は解錠の状態が判定された日時を計時するための計時部２０２を鍵２に備えた態様について説明したが、この態様に限定されるものではない。例えば、図２に破線で示すように、同様な機能を有する計時部２０２をシリンダー錠１に備えることもできる。この態様によれば、シリンダー錠１の送信部１１３から電磁誘導送信される状態信号に、計時部２０２にて計時される施錠確認時間又は解錠確認時間を付加することができ、鍵２の状態判定部２０１は、状態信号に付加されている施錠確認時間又は解錠確認時間を、記憶部２０３に記憶するとともに表示部２０４に所定のフォーマットで表示させることができる。
【００３２】
本発明の施解錠確認装置においては、特定の実施の形態をもって説明してきたが、この形態に限定されるものでなく、本発明の効果を奏する限り、これまで知られた如何なる構成の施解錠確認装置であっても採用できるということはいうまでもないことである。
【図面の簡単な説明】
【００３３】
【図１】図１（ａ）は、本発明の実施例による施解錠確認装置を構成するシリンダー錠の外観構造を示す説明図であり、図１（ｂ）は、当該シリンダー錠の内部構造を示す説明図である。
【図２】図２は、本発明の実施例による施解錠確認装置において、シリンダー錠及び鍵の具体的な構成を示すブロック図である。
【図３】図３は、本発明の実施例による施解錠確認装置を構成する鍵の外観構造を説明図である。
【図４】図４（ａ）、（ｂ）はそれぞれ、本発明の実施例による施解錠確認装置において、シリンダー錠（の送信部）から電磁誘導送信され鍵（の受信部）にて電磁誘導受信される状態信号の波形例を示す信号波形図である。
【図５】図５（ａ）、（ｂ）はそれぞれ、本発明の実施例による施解錠確認装置において、鍵の表示部における表示例の遷移を示す説明図である。
【符号の説明】
【００３４】
１……シリンダー錠
１１０……鍵穴
１１１……施錠検知部
１１２……解錠検知部
１１３……送信部
Ｚ１……施錠エリア
Ｚ２……解錠エリア
２……鍵
２００……受信部
２０１……状態判定部
２０２……計時部
２０３……記憶部
２０４……表示部
【図１】
2009108621.tif 000003
【図２】
2009108621.tif 000004
【図３】
2009108621.tif 000005
【図４】
2009108621.tif 000006
【図５】
2009108621.tif 000007